(57)【要約】【課題】ユーザーが所望するモードメモリーを容易かつ効率的に特定することである。【解決手段】画像形成装置は、複数の設定項目の設定値を有するモードメモリーを記憶し、にゅうりょく印刷ジョブで用いる設定項目の第１の設定値の入力を受け付け、入力された設定値と記憶されたモードメモリーの設定値とを比較し合致するモードメモリーを候補として抽出する。そして、画像形成装置は、抽出されたモードメモリーが複数ある場合に、設定画面ｄ１０の表示により、複数のモードメモリー間で異なる第２の設定値（入力ボタンＢ１１，Ｂ１２，Ｂ１３）の入力を問い合わせ、第２の設定値の入力を受け付け、入力された第２の設定値に応じて、抽出されたモードメモリーから印刷ジョブで用いるモードメモリーを特定する。【選択図】図６
2020102678.tif 000002
【特許請求の範囲】
【請求項１】
複数の設定項目の設定値を有するモードメモリーを記憶する記憶手段と、
印刷ジョブで用いる設定項目の第１の設定値の入力を受け付ける入力手段と、
前記入力された第１の設定値と前記記憶されたモードメモリーの設定値とを比較し合致するモードメモリーを候補として抽出する抽出手段と、
前記抽出されたモードメモリーが複数ある場合に、当該複数のモードメモリー間で異なる第２の設定値の入力を問い合わせる問合せ手段と、
前記第２の設定値の入力を受け付ける受付手段と、
前記入力された第２の設定値に応じて、前記抽出されたモードメモリーから前記印刷ジョブで用いるモードメモリーを特定する特定手段と、を備える画像形成装置。
【請求項２】
前記抽出されたモードメモリーが複数ある場合に、前記問い合わせる第２の設定値の優先順位を決定する優先順位決定手段を備え、
前記問合せ手段は、前記決定された優先順位に応じて、前記複数のモードメモリー間で異なる第２の設定値の入力を問い合わせる請求項１に記載の画像形成装置。
【請求項３】
前記モードメモリーは、設定項目の設定値の階層構造を有し、
前記優先順位決定手段は、前記複数のモードメモリー間で異なる第２の設定値のうち、前記入力された第１の設定値の下位層にある第２の設定値の優先順位を高くする請求項２に記載の画像形成装置。
【請求項４】
前記モードメモリーは、設定項目の設定値をグループごとに有し、
前記優先順位決定手段は、前記複数のモードメモリー間で異なる第２の設定値のうち、前記入力された第１の設定値が多いグループに所属する第２の設定値の優先順位を高くする請求項２又は３に記載の画像形成装置。
【請求項５】
前記受付手段は、前記問い合わされた第２の設定値のパスの入力を受け付け可能であり、
前記問合せ手段は、前記パスが入力された場合に、当該パスに対応する第２の設定値の次の優先順位の前記複数のモードメモリー間で異なる第２の設定値の入力を問い合わせる請求項２から４のいずれか一項に記載の画像形成装置。
【請求項６】
前記記憶手段は、過去に入力された第１の設定値の履歴情報を記憶し、
前記優先順位決定手段は、優先順位が同じ第２の設定値が複数ある場合に、前記設定値の履歴情報に応じて当該複数の第２の設定値の優先順位をさらに決定する請求項２から５のいずれか一項に記載の画像形成装置。
【請求項７】
前記優先順位決定手段は、優先順位が同じ第２の設定値が複数ある場合に、予め決められた設定値の優先順位に応じて当該複数の第２の設定値の優先順位をさらに決定する請求項２から６のいずれか一項に記載の画像形成装置。
【請求項８】
前記問合せ手段は、表示及び音声出力の少なくとも１つにより、前記複数のモードメモリー間で異なる第２の設定値の入力を問い合わせ、
前記受付手段は、操作入力及び音声入力の少なくとも１つにより、前記問い合わされた第２の設定値の入力を受け付ける請求項１から７のいずれか一項に記載の画像形成装置。
【請求項９】
前記入力手段により入力されていない設定値、デフォルト値から変更された設定値及び前記入力された第１の設定値に関連する設定値の少なくとも１つを、前記特定されたモードメモリーとともに通知する通知手段を備える請求項１から８のいずれか一項に記載の画像形成装置。
【請求項１０】
前記入力手段は、モードメモリーの変更情報の入力を受け付け、
前記入力された変更情報に応じて、モードメモリーの構成を変更する変更手段を備える請求項１から９のいずれか一項に記載の画像形成装置。
【請求項１１】
前記モードメモリーは、ユーザーの識別情報に対応付けられ、
前記入力手段は、前記印刷ジョブを投入するユーザーの識別情報の入力を受け付け、
前記抽出手段は、前記入力された設定値と前記記憶されたモードメモリーの設定値とを比較して合致し前記入力されたユーザーの識別情報に対応するモードメモリーを候補として抽出する請求項１から１０のいずれか一項に記載の画像形成装置。
【請求項１２】
前記特定されたモードメモリー内の設定値に基づいて、前記印刷ジョブを画像形成手段に実行させる印刷ジョブ実行手段を備える請求項１から１１のいずれか一項に記載の画像形成装置。
【発明の詳細な説明】
【技術分野】
【０００１】
本発明は、画像形成装置に関する。
【背景技術】
【０００２】
従来、用紙に画像形成するＭＦＰ（MultiFunction Peripheral：複合機）などの画像形成装置が知られている。画像形成装置には設定項目が多く、ユーザーが所望する出力結果を得るためには設定に多くの時間を要する場合がある。そのような課題を解決するため、よく利用する設定項目の設定値一式をモードメモリーとして予め登録しておくモードメモリー機能が存在する。ユーザーが登録されてあるモードメモリーを読み出せば、全設定項目を一度に設定完了できる。
【０００３】
通常、ユーザーはモードメモリーに割り当てられている番号（登録番号）や名称（タイトル、登録名）を入力したり、表示されているアイコンやプレビューの中から選択したりすることで、自分が利用したいモードメモリーを特定する。しかし、記憶されたモードメモリーが多数であったり、頻繁に利用しないユーザーがモードメモリー機能を利用する場合には、自分が利用したい設定値のパターンがどれかを判断するのが困難である。
【０００４】
このため、発話した内容を分析し、分析結果と予め登録しておいたジョブメモリーの設定内容とを比較し、類似度が一定以上のジョブメモリーを候補として抽出して、ユーザーが選択可能な情報処理装置が知られている（特許文献１参照）。
【０００５】
また、複数の印刷設定をそれぞれ複数種類の照合情報と関連づけて、設定候補データの少なくとも一部として記憶し、印刷の対象であるデータファイルに関する特徴情報と、設定候補データに格納されている照合情報と、を照合することによって、設定候補データに格納されている複数の印刷設定の中から印刷設定の候補である候補設定を選択し、選択した候補設定の決定をユーザーに促す印刷装置が知られている（特許文献２参照）。
【先行技術文献】
【特許文献】
【０００６】
【特許文献１】特開２０１８−４６４１６号公報
【特許文献２】特開２００８−２５７３８３号公報
【発明の概要】
【発明が解決しようとする課題】
【０００７】
しかし、上記特許文献１、２に記載の装置でも、比較又は照合により絞り込んだ結果（ジョブメモリー、候補設定）が多数であった場合には、最終的には番号や名称で選択しなければならないため、ユーザーの負担が大きくなるおそれがあった。
【０００８】
本発明の課題は、ユーザーが所望するモードメモリーを容易かつ効率的に特定することである。
【課題を解決するための手段】
【０００９】
上記課題を解決するため、請求項１に記載の発明の画像形成装置は、
複数の設定項目の設定値を有するモードメモリーを記憶する記憶手段と、
印刷ジョブで用いる設定項目の第１の設定値の入力を受け付ける入力手段と、
前記入力された第１の設定値と前記記憶されたモードメモリーの設定値とを比較し合致するモードメモリーを候補として抽出する抽出手段と、
前記抽出されたモードメモリーが複数ある場合に、当該複数のモードメモリー間で異なる第２の設定値の入力を問い合わせる問合せ手段と、
前記第２の設定値の入力を受け付ける受付手段と、
前記入力された第２の設定値に応じて、前記抽出されたモードメモリーから前記印刷ジョブで用いるモードメモリーを特定する特定手段と、を備える。
【００１０】
請求項２は、請求項１に記載の画像形成装置において、
前記抽出されたモードメモリーが複数ある場合に、前記問い合わせる第２の設定値の優先順位を決定する優先順位決定手段を備え、
前記問合せ手段は、前記決定された優先順位に応じて、前記複数のモードメモリー間で異なる第２の設定値の入力を問い合わせる。
【００１１】
請求項３は、請求項２に記載の画像形成装置において、
前記モードメモリーは、設定項目の設定値の階層構造を有し、
前記優先順位決定手段は、前記複数のモードメモリー間で異なる第２の設定値のうち、前記入力された第１の設定値の下位層にある第２の設定値の優先順位を高くする。
【００１２】
請求項４は、請求項２又は３に記載の画像形成装置において、
前記モードメモリーは、設定項目の設定値をグループごとに有し、
前記優先順位決定手段は、前記複数のモードメモリー間で異なる第２の設定値のうち、前記入力された第１の設定値が多いグループに所属する第２の設定値の優先順位を高くする。
【００１３】
請求項５は、請求項２から４のいずれか一項に記載の画像形成装置において、
前記受付手段は、前記問い合わされた第２の設定値のパスの入力を受け付け可能であり、
前記問合せ手段は、前記パスが入力された場合に、当該パスに対応する第２の設定値の次の優先順位の前記複数のモードメモリー間で異なる第２の設定値の入力を問い合わせる。
【００１４】
請求項６は、請求項２から５のいずれか一項に記載の画像形成装置において、
前記記憶手段は、過去に入力された第１の設定値の履歴情報を記憶し、
前記優先順位決定手段は、優先順位が同じ第２の設定値が複数ある場合に、前記設定値の履歴情報に応じて当該複数の第２の設定値の優先順位をさらに決定する。
【００１５】
請求項７は、請求項２から６のいずれか一項に記載の画像形成装置において、
前記優先順位決定手段は、優先順位が同じ第２の設定値が複数ある場合に、予め決められた設定値の優先順位に応じて当該複数の第２の設定値の優先順位をさらに決定する。
【００１６】
請求項８は、請求項１から７のいずれか一項に記載の画像形成装置において、
前記問合せ手段は、表示及び音声出力の少なくとも１つにより、前記複数のモードメモリー間で異なる第２の設定値の入力を問い合わせ、
前記受付手段は、操作入力及び音声入力の少なくとも１つにより、前記問い合わされた第２の設定値の入力を受け付ける。
【００１７】
請求項９は、請求項１から８のいずれか一項に記載の画像形成装置において、
前記入力手段により入力されていない設定値、デフォルト値から変更された設定値及び前記入力された第１の設定値に関連する設定値の少なくとも１つを、前記特定されたモードメモリーとともに通知する通知手段を備える。
【００１８】
請求項１０は、請求項１から９のいずれか一項に記載の画像形成装置において、
前記入力手段は、モードメモリーの変更情報の入力を受け付け、
前記入力された変更情報に応じて、モードメモリーの構成を変更する変更手段を備える。
【００１９】
請求項１１は、請求項１から１０のいずれか一項に記載の画像形成装置において、
前記モードメモリーは、ユーザーの識別情報に対応付けられ、
前記入力手段は、前記印刷ジョブを投入するユーザーの識別情報の入力を受け付け、
前記抽出手段は、前記入力された設定値と前記記憶されたモードメモリーの設定値とを比較して合致し前記入力されたユーザーの識別情報に対応するモードメモリーを候補として抽出する。
【００２０】
請求項１２は、請求項１から１１のいずれか一項に記載の画像形成装置において、
前記特定されたモードメモリー内の設定値に基づいて、前記印刷ジョブを画像形成手段に実行させる印刷ジョブ実行手段を備える。
【発明の効果】
【００２１】
本発明によれば、ユーザーが所望するモードメモリーを容易かつ効率的に特定できる。
【図面の簡単な説明】
【００２２】
【図１】本発明の実施の形態の画像形成装置の概略構成を示す図である。
【図２】画像形成装置の機能構成を示すブロック図である。
【図３】第１〜第５のモードメモリー定義リストを示す図である。
【図４】（ａ）は、第１のモードメモリーを示す図である。（ｂ）は、第２のモードメモリーを示す図である。
【図５】モードメモリージョブ実行処理を示すフローチャートである。
【図６】（ａ）は、第１の設定画面を示す図である。（ｂ）は、第２の設定画面を示す図である。
【図７】（ａ）は、第１の音声問合せ例を示す図である。（ｂ）は、第２の音声問合せ例を示す図である。（ｃ）は、第３の音声問合せ例を示す図である。
【図８】（ａ）は、第３のモードメモリーを示す図である。（ｂ）は、第４のモードメモリーを示す図である。
【図９】（ａ）は、第４の音声問合せ例を示す図である。（ｂ）は、第５の音声問合せ例を示す図である。（ｃ）は、第６の音声問合せ例を示す図である。
【図１０】（ａ）は、第５のモードメモリーを示す図である。（ｂ）は、第６のモードメモリーを示す図である。
【発明を実施するための形態】
【００２３】
添付図面を参照して、本発明に係る実施の形態を詳細に説明する。なお、本発明は、図示例に限定されるものではない。
【００２４】
図１〜図１０を参照して、本発明に係る実施の形態を説明する。まず、図１及び図２を参照して、本実施の形態の装置構成を説明する。図１は、本実施の形態の画像形成装置１０の概略構成を示す図である。図２は、画像形成装置１０の機能構成を示すブロック図である。
【００２５】
図１に示すように、本実施の形態の画像形成装置１０は、用紙に画像形成（印刷）を行う装置であり、例えば、企業のオフィスに設置されている。画像形成装置１０は、例えば、ＭＦＰであるものとして説明するが、これに限定されるものではない。画像形成装置１０は、印刷ジョブにより用紙に画像形成するプリンターなど、他の画像形成装置としてもよい。画像形成装置１０は、画像形成装置本体１０Ａと、後処理装置１０Ｂと、音声端末１０Ｃと、を備える。
【００２６】
画像形成装置本体１０Ａと音声端末１０Ｃとは、通信ネットワークを介して通信接続されている。通信ネットワークは、例えば、無線ＬＡＮ（Local Area Network）の通信方式とするが、これに限定されるものではなく、有線ＬＡＮなどとしてもよい。
【００２７】
図１に示すように、画像形成装置本体１０Ａは、操作表示部Ｄ１を介するユーザーからの操作入力に応じて、原稿読取部１４で原稿から読み取られた画像データ、又は通信ネットワークに接続されたＰＣ（Personal Computer）などの外部機器（図示略）から受信した印刷ジョブの画像データに応じて、給紙トレイＴ１，Ｔ２，Ｔ３，Ｔ４から給紙された用紙に画像形成する。操作表示部Ｄ１は、表示情報を表示するとともに、タッチパネル、各種キーを介して操作入力を受け付ける。
【００２８】
画像形成装置本体１０Ａは、用紙の搬送方向に、上流から下流へ画像形成ユニット１６１Ｙ，１６１Ｍ，１６１Ｃ，１６１Ｋ、定着部１６２が直列に配置された直接転写方式の画像形成装置である。ただし、画像形成装置本体１０Ａは、中間転写方式の画像形成装置としてもよい。画像形成ユニット１６１Ｙ，１６１Ｍ，１６１Ｃ，１６１Ｋは、順に、イエロー（Ｙ）、マゼンタ（Ｍ）、シアン（Ｃ）、Ｋ（ブラック）のトナー像を用紙上に形成（現像）する。定着部１６２は、加熱及び加圧により、用紙上のトナー像を用紙に定着させる。
【００２９】
後処理装置１０Ｂは、画像形成装置本体１０Ａから排出された画像形成された用紙をそのまま又は後処理を施して排紙トレイＴ５に排出（排紙）する。ただし、図１において、後処理部の図示は省略している。
【００３０】
音声端末１０Ｃは、スマートスピーカーなどで構成され、音声入力部（マイク）、アンプ、音声出力部（スピーカー）を備え、音声入力部を介してユーザーからの音声入力を受け付け、音声情報を音声出力部から音声出力する端末装置である。
【００３１】
ついで、図２を参照して、画像形成装置１０の内部の機能構成を説明する。図２に示すように、画像形成装置本体１０Ａは、抽出手段、問合せ手段、特定手段、通知手段としての本体制御部１１と、操作表示部Ｄ１と、原稿読取部１４と、画像処理部１５と、画像形成部１６と、給紙部１７と、本体通信部１８と、記憶手段としての記憶部１９と、搬送部２０と、外部通信部２１と、を備える。画像形成装置本体１０Ａの各部は、バスを介して通信接続されている。
【００３２】
本体制御部１１は、ＣＰＵ（Central Processing Unit）、ＲＡＭ（Random Access Memory）、ＲＯＭ（Read Only Memory）を有する。ＣＰＵは、ＲＯＭに記憶されている各種処理プログラムを読み出し、当該プログラムに従って、画像形成装置本体１０Ａの各部を制御する。また、ＣＰＵは、出力された用紙に対して後処理を行う場合には、後処理装置１０Ｂに所定の後処理を実行する指示を出す。ＲＯＭは、不揮発性の半導体メモリーなどにより構成され、各種プログラム、当該プログラムの実行に必要なデータなどを記憶している。特に、ＲＯＭには、後述するモードメモリージョブ実行処理を実行するためのモードメモリージョブ実行プログラムが記憶されている。ＲＡＭは、ＤＲＡＭ（Dynamic RAM）などにより構成され、プログラムや各種画像処理に係る画像データなどの各種データを一時的に記憶する。
【００３３】
操作表示部Ｄ１は、受付手段としての操作部１２と、表示部１３と、を有する。操作部１２は、表示部１３の表示画面上を覆うように形成されたタッチパネルや、数字ボタン、スタートボタンなどの各種操作ボタンを備え、ユーザーの操作に基づく操作信号を本体制御部１１に出力する。表示部１３は、ＬＣＤ（Liquid Crystal Display）などにより構成され、本体制御部１１から入力される表示信号に従って各種表示情報を表示する。
【００３４】
原稿読取部１４は、ＡＤＦ（Auto Document Feeder：自動原稿給紙装置）、プラテンガラス、スキャナーなどを備え、自動搬送された又は載置された原稿の画像を読み取って得られた画像データを本体制御部１１に出力する。
【００３５】
画像処理部１５は、本体制御部１１の制御により、記憶部１９に記憶された画像データ、原稿読取部１４により原稿から画像を読み取って得られた画像データ、外部機器（情報処理装置）から入力された画像データに必要な画像処理を行い、画像処理後の画像データを画像形成部１６に送信する。画像処理には、階調処理、中間調処理、色変換処理などが含まれる。階調処理は、画像データの各画素の階調値を、用紙上に形成された画像の濃度特性が目標の濃度特性と一致するように補正された階調値に変換する処理である。中間調処理は、誤差拡散処理、組織的ディザ法を用いたスクリーン処理などである。色変換処理は、ＲＧＢの各階調値をＣＭＹＫの各階調値に変換する処理である。
【００３６】
画像形成部１６は、本体制御部１１の制御により、画像処理部１５により画像処理が行われた画像データに基づいて、給紙部１７により供給された用紙上にモノクロ又はカラーの画像を形成する。画像形成部１６は、イエロー（Ｙ）、マゼンタ（Ｍ）、シアン（Ｃ）、ブラック（Ｋ）の各色に対応する画像形成ユニット１６１Ｙ，１６１Ｍ、１６１Ｃ、１６１Ｋ転写搬送ベルト、定着部１６２などを備える。各色の画像形成ユニット１６１Ｙ，１６１Ｍ、１６１Ｃ、１６１Ｋは、それぞれ、感光体ドラムと、当該感光体ドラムの周囲に設けられた帯電部、露光部、現像部、クリーニング部と、を有する。画像形成ユニット１６１Ｙにおけるイエロー色の感光体ドラムは、帯電部により表面が一様に帯電された後、イエロー色の画像データに基づいて露光部により走査露光されて静電潜像が形成される。そして、現像部によりイエロー色の感光体ドラム上の静電潜像にイエロー色のトナーが付着され、現像が行われる。イエロー色の感光体ドラム上のトナー像は、用紙に直接転写後、クリーニング部により、残ったイエロー色のトナーが回収される。マゼンタ、シアン、ブラック色の画像形成ユニット１６１Ｍ、１６１Ｃ、１６１Ｋも、イエロー色の画像形成ユニット１６１Ｙと同様である。
【００３７】
各色の感光体ドラム上に形成された各色のトナー像は、用紙上に、４色のトナー像が重ね合わされたカラートナー像として形成される。定着部１６２は、カラートナー像が転写された用紙を加熱する加熱ローラー、当該用紙を加圧する加圧ローラーを備え、加熱及び加圧によりカラートナー像を用紙に定着させる。
【００３８】
給紙部１７は、複数の給紙トレイＴ１〜Ｔ４、給紙ローラーなどを備え、本体制御部１１の制御により、給紙トレイから用紙を取り出して供給する。各給紙トレイＴ１〜Ｔ４には、給紙トレイごとに予め定められた紙種やサイズの用紙が収納されている。本体通信部１８は、後処理装置１０Ｂ（後処理通信部３２）と通信を行う。
【００３９】
記憶部１９は、画像データなどの各種データを記憶するＨＤＤ（Hard Disk Drive）、半導体メモリーなどの不揮発性の記憶装置である。特に、記憶部１９は、後述するモードメモリーＭ１，Ｍ２などの複数のモードメモリーを記憶する。
【００４０】
搬送部２０は、用紙を搬送する搬送ローラーなどを備え、本体制御部１１の制御により、給紙部１７から供給された用紙を画像形成部１６に搬送し、画像形成部１６により画像形成された用紙を後処理装置１０Ｂに搬送する。また、搬送部２０は、両面印刷のため、画像形成部１６により片面に画像形成された用紙を反転して再度画像形成部１６に搬送する反転経路部を有する。
【００４１】
外部通信部２１は、ネットワークカードなどにより構成され、通信ネットワーク上の音声端末１０Ｃや、ＰＣなどの外部機器と通信を行うコントローラーＩＦ（Inter Face）である。
【００４２】
後処理装置１０Ｂは、画像形成装置本体１０Ａから搬送された用紙に、必要に応じて後処理を行う装置である。後処理としては、例えば、ソート処理、ステープル処理、パンチ穴開け処理、折り処理、製本（小冊子、中綴じ）処理などがある。後処理装置１０Ｂは、後処理制御部３１と、後処理通信部３２と、搬送部３３と、後処理部３４と、を備える。後処理装置１０Ｂの各部は、バスを介して接続されている。
【００４３】
後処理制御部３１は、本体制御部１１と同様に、後処理装置１０Ｂの各部を制御する。後処理通信部３２は、画像形成装置本体１０Ａ（本体通信部１８）と通信を行う。搬送部３３は、搬送ローラーなどを有し、後処理制御部３１の制御により、画像形成装置本体１０Ａから搬送された用紙を後処理部３４又は排紙トレイＴ５に搬送し、後処理部３４で後処理が施された用紙を排紙トレイＴ５に搬送する。後処理部３４は、ソート処理部、ステープル処理部、パンチ穴開け処理部、折り処理部、製本処理部などを有し、後処理制御部３１の制御により、搬送された用紙に、ソート処理、ステープル処理、パンチ穴開け処理、折り処理、製本処理などの後処理を施す。
【００４４】
つぎに、図３及び図４を参照して、記憶部１９に記憶されるモードメモリーＭ１，Ｍ２を説明する。図３は、モードメモリー定義リストＭ０１，Ｍ０２，Ｍ０３，Ｍ０４，Ｍ０５を示す図である。図４（ａ）は、モードメモリーＭ１を示す図である。図４（ｂ）は、モードメモリーＭ２を示す図である。
【００４５】
以下、簡単のため、原稿読取部１４で読み取られた原稿の画像データを画像形成部１６で画像形成するコピー処理に関するモードメモリーを説明する。モードメモリーは、印刷ジョブに関する設定項目の設定値一式を有する情報である。
【００４６】
記憶部１９に記憶されるモードメモリーは、図３に示すモードメモリー定義リストＭ０１，Ｍ０２，Ｍ０３，Ｍ０４，Ｍ０５で定義されている。モードメモリー定義リストＭ０１，Ｍ０２，Ｍ０３，Ｍ０４，Ｍ０５は、グループ毎の定義リストであり、順に、グループが基本、レイアウト、仕上げ、画像合成、画質調整とする。
【００４７】
また、モードメモリー定義リストＭ０１，Ｍ０２，Ｍ０３，Ｍ０４，Ｍ０５は、モードメモリーを決定する優先順位の高い方から第１階層〜第４階層の４階層に設定項目が定義されている階層構造を有する。ただし、この階層数に限定されるものではない。
【００４８】
グループが基本のモードメモリー定義リストＭ０１は、モードメモリーの基本的な設定項目が定義されている。第１階層の原稿向きは、読み取る原稿の向きの設定項目であり、縦又は横の設定値が設定される。第１階層の原稿サイズは、読み取る原稿のサイズの設定項目であり、Ａ４などの設定値が設定される。第１階層の倍率は、印刷の倍率の設定項目であり、倍率変更のオン／オフの設定値が設定される。第２階層の倍率（％）は、倍率の具体的な数値の設定項目であり、数値（％）の設定値が設定される。第１階層の部数は、印刷物の部数の設定項目であり、数値（部）の設定値が設定される。第１階層の給紙トレイは、印刷する用紙の供給元の給紙トレイの設定項目であり、給紙トレイＴ１〜Ｔ４のいずれかを示す設定値が設定される。第１階層の印刷色は、印刷色の設定項目であり、白黒、フルカラーなどの設定値が設定される。
【００４９】
グループがレイアウトのモードメモリー定義リストＭ０２は、モードメモリーのレイアウトに関する設定項目が定義されている。第１階層のＮｉｎ１は、１枚の用紙に割り当てるページの設定項目であり、Ｎ（枚）の設定値が設定される。第２階層のＮｉｎ１（ページ割当）は、ページ割り当ての方向の設定項目であり、昇順又は降順の設定値が設定される。第１階層の印刷面は、面印刷の種類の設定項目であり、両面、片面などの設定値が設定される。第２階層の印刷面（綴じ方向）は、印刷物の綴じ方向の設定値であり、左、上などの設定値が設定される。第３階層の印刷面（綴じ代）は、印刷物の綴じ代（幅）設定項目であり、数値（ｍｍ）の設定値が設定される。第１階層の画像シフトは、用紙上の印刷する画像のシフトの設定項目であり、オン／オフの設定値が設定される。第１階層の小冊子は、後処理としての小冊子の綴じ処理の設定項目であり、オン／オフの設定値が設定される。
【００５０】
グループが仕上げのモードメモリー定義リストＭ０３は、主に画像形成後の用紙の仕上げとしての後処理の設定項目が定義されている。第１階層のステープルは、後処理としてのステープル処理の設定項目であり、オン／オフの設定値が設定される。第２階層のステープル（位置）は、ステープル処理における用紙上の針の位置の設定項目であり、針の位置の設定値が設定される。第３階層のステープル（位置詳細）は、ステープル処理における用紙上の針の詳細な位置の設定項目であり、針の詳細な位置の設定値が設定される。第４階層のステープル（角度）は、ステープル処理における用紙上の針の角度の設定項目であり、針の角度の設定値が設定される。第１階層の中綴じは、後処理としての中綴じ処理の設定項目であり、オン／オフの設定値が設定される。第１階層のパンチは、後処理としてのパンチ処理の設定項目であり、オン／オフの設定値が設定される。第２階層のパンチ（位置）は、パンチ処理の用紙上のパンチ穴の位置の設定項目であり、パンチ穴の位置の設定値が設定される。第３階層のパンチ（穴数）は、パンチ処理のパンチ穴の個数の設定項目であり、パンチ穴の個数の設定値が設定される。第１階層の折りは、後処理としての折り処理の設定項目であり、オン／オフの設定値が設定される。第２階層の折り（折りページ数）は、折り処理の対象のページ数の設定項目であり、ページ数の設定値が設定される。
【００５１】
グループが画像合成のモードメモリー定義リストＭ０４は、用紙に印刷する画像に合成する情報の設定項目が定義されている。第１階層のウォーターマークは、印刷する画像へのウォーターマーク（電子透かし）の合成の設定項目であり、オン／オフの設定値が設定される。第２階層のウォーターマーク（印刷文字）は、ウォーターマークの文字の内容の設定項目であり、文字が設定される。第３階層のウォーターマーク（サイズ）は、ウォーターマークの文字のサイズの設定項目であり、文字のサイズの設定値が設定される。第４階層のウォーターマーク（角度）は、ウォーターマークの文字の角度の設定項目であり、文字の角度の設定値が設定される。第１階層のオーバーレイは、印刷する画像への予め登録したフォームの合成の設定項目であり、オン／オフの設定情報が設定される。第２階層のオーバーレイ（印刷文字）は、オーバーレイのフォームの印刷文字の設定項目であり、フォームの印刷文字の設定値が設定される。第１階層の日付／時刻は、印刷する画像への印刷の日付／日時の合成の設定項目であり、オン／オフの設定値が設定される。第２階層の日付／時刻（フォーマット）は、合成する日付／日時のフォーマットの設定項目であり、日付／日時のフォーマットの設定値が設定される。第１階層のページ番号は、印刷する画像へのページ番号の合成の設定項目であり、オン／オフの設定値が設定される。第２階層のページ番号（フォーマット）は、合成するページ番号のフォーマットの設定項目であり、ページ番号のフォーマットの設定値が設定される。
【００５２】
グループが画質調整のモードメモリー定義リストＭ０４は、用紙に印刷する画像の画質調整の設定項目が定義されている。第１階層の下地調整は、用紙に印刷する画像の下地調整処理の設定項目であり、オン／オフの設定値が設定される。第２階層の下地調整（調整レベル）は、下地調整処理の調整レベルの設定情報が設定される。第１階層の文字再現は、用紙に印刷する画像の文字再現処理の設定項目であり、オン／オフの設定値が設定される。第２階層の文字再現（調整レベル）は、文字再現処理の調整レベルの設定項目であり、調整レベルの設定値が設定される。第１階層の光沢コピーは、用紙に印刷する画像に光沢をつける処理の設定項目であり、オン／オフの設定値が設定される。第１階層の濃度は、用紙に印刷する画像の濃度調整処理の設定項目であり、オン／オフの設定値が設定される。第２階層の濃度（調整レベル）は、濃度調整処理の調整レベルの設定項目であり、濃度の調整レベルの設定値が設定される。第１階層の原稿タイプは、原稿のタイプの設定項目であり、文字、写真、イラストなどの設定値が設定される。
【００５３】
記憶部１９には、モードメモリー定義リストＭ０１〜Ｍ０５で定義された、図４（ａ）に示すモードメモリーＭ１、図４（ｂ）に示すモードメモリーＭ２などの複数のモードメモリーが記憶されている。モードメモリーＭ１は、グループが基本のモードメモリーＭ１１と、グループがレイアウトのモードメモリーＭ１２と、を有し、他のグループのモードメモリーの図示を省略するものとする。モードメモリーＭ２は、グループが基本のモードメモリーＭ２１と、グループがレイアウトのモードメモリーＭ２２と、を有し、他のグループのモードメモリーの図示を省略するものとする。
【００５４】
また、記憶部１９に記憶される複数のモードメモリーには、それぞれ、識別が可能な名称（タイトル）が対応付けられて記憶されているものとする。例えば、印刷用途、印刷内容などに応じて、「ＤＲ（Design Review）印刷＿配布用」などの名称が、モードメモリーに付与されている。なお、モードメモリーには、名称に限定されず、番号などの他の識別情報が対応付けられている構成としてもよい。
【００５５】
また、記憶部１９に記憶されるモードメモリーは、操作部１２を介するユーザーからの変更入力に応じて、設定項目、設定値などが適宜更新可能であるものとする。
【００５６】
つぎに、図５、図６を参照して、画像形成装置１０の動作を説明する。図５は、モードメモリージョブ実行処理を示すフローチャートである。図６（ａ）は、設定画面ｄ１０を示す図である。図６（ｂ）は、設定画面ｄ２０を示す図である。
【００５７】
図５を参照して、画像形成装置１０で実行されるモードメモリージョブ実行処理を説明する。モードメモリージョブ実行処理は、モードメモリーを用いてコピーのジョブを実行する処理である。画像形成装置１０において、例えば、原稿が原稿読取部１４に載置され、操作部１２を介して、ユーザーからモードメモリージョブ実行処理の実行指示が入力されたことをトリガーとして、本体制御部１１は、ＲＯＭに記憶されたモードメモリージョブ実行プログラムに従い、モードメモリージョブ実行処理を実行する。
【００５８】
図５に示すように、まず、本体制御部１１は、操作部１２を介してユーザーから、コピーにおける設定項目の設定にモードメモリーを使用する旨の指定入力を受け付ける（ステップＳ１１）。そして、本体制御部１１は、操作部１２を介してユーザーから、コピーにおける設定項目の設定値の入力を受け付ける（ステップＳ１２）。
【００５９】
そして、本体制御部１１は、記憶部１９に記憶された全てのモードメモリーから、ステップＳ１２で入力された設定項目の設定値が合致するモードメモリーを候補として抽出する（ステップＳ１３）。そして、本体制御部１１は、ステップＳ１３で抽出されたモードメモリー間で異なる設定項目の問合せの優先順位を決定し、当該設定項目の設定値を優先順に問い合わせるための設定画面データを生成し、生成した設定画面データを表示部１３に表示する（ステップＳ１４）。
【００６０】
ステップＳ１４では、例えば、図６（ａ）に示す設定画面ｄ１０が表示される。設定画面ｄ１０は、優先順として上から下へ、設定項目「印刷面」、「Ｎｉｎ１」、「ステープル」の設定項目入力欄Ｐ１０，Ｐ２０，Ｐ３０が順に配置され、各設定項目の設定値の入力を受け付ける画面である。例えば、「印刷面」の設定項目入力欄Ｐ１０は、ソフトキーとしての入力ボタンＢ１１，Ｂ１２，Ｂ１３を有する。入力ボタンＢ１１は、設定値「印刷面：片面」の入力ボタンである。入力ボタンＢ１２は、設定値「印刷面：両面」の入力ボタンである。入力ボタンＢ１３は、設定値「印刷面：不明」の入力ボタンである。「Ｎｉｎ１」の設定項目入力欄Ｐ２０、「ステープル」の設定項目入力欄Ｐ３０も同様に、設定値の入力ボタンを有する。入力対象が設定項目入力欄Ｐ１０である場合に、ユーザーからの入力ボタンＢ１１，Ｂ１２，Ｂ１３の択一的なタッチ入力が受け付けられる。入力ボタンＢ１１，Ｂ１２は、それぞれ、設定項目入力欄Ｐ１０の問合せに対する回答としての片面、両面の入力ボタンである。入力ボタンＢ１３は、設定項目入力欄Ｐ１０の問合せに対する回答パスの入力ボタンである。
【００６１】
優先順位は、次のルールにより決定される。
（１）．ユーザーがステップＳ１２で入力した設定値の下位層に差異がある設定項目を優先する。
（２）．ユーザーがステップＳ１２で多く設定値を入力したグループの中の差異がある第１階層の設定項目を優先する。
・また、（１）、（２）のそれぞれは、優先順位が同じ設定項目が複数ある場合に、過去の設定値入力の履歴情報で入力が多いものを優先する優先順位、又は予め決められた設定項目ごとの優先順位により、さらに優先順位が決定される。
【００６２】
そして、本体制御部１１は、ステップＳ１４で決定された優先順位に応じて、（設定画面の上から下へ）未問合せの設定項目の設定値の１つをユーザーに問合せる（ステップＳ１５）。例えば、優先順位が次の設定項目の設定値入力欄が強調表示（例えば色変更）される。
【００６３】
そして、本体制御部１１は、操作部１２を介してユーザーから問合せに対する回答としての対象の設定項目の設定値又は回答のパスの入力を受け付ける（ステップＳ１６）。そして、本体制御部１１は、ステップＳ１３で抽出されたモードメモリーから、ステップＳ１６で入力された設定項目の設定値が合致する１つのモードメモリーが決定されるか否かを判別する（ステップＳ１７）。１つのモードメモリーが決定されない場合（ステップＳ１７；ＮＯ）、ステップＳ１５に移行される。このように、画像形成装置１０の設定項目の問合せに対し、回答又はパスを入力することで、１つのモードメモリーが決定されない場合に、さらなるモードメモリーの絞り込みが実施される。
【００６４】
１つのモードメモリーが決定された場合（ステップＳ１７；ＹＥＳ）、本体制御部１１は、ステップＳ１７で決定されたモードメモリーを記憶部１９から読み出す（呼び出す）（ステップＳ１８）。
【００６５】
そして、本体制御部１１は、ステップＳ１８で読み出されたモードメモリーを用いたジョブ実行の要否のメッセージを表示部１３に表示して問合せ、操作部１２を介してユーザーから、ジョブ実行の指示する又は指示しない入力を受け付け、ジョブ実行の指示入力があるか否かを判別する（ステップＳ１９）。
【００６６】
ステップＳ１９では、例えば、図６（ｂ）に示す設定画面ｄ２０が表示され、ステップＳ１７で決定されたモードメモリーで印刷ジョブを実行することをユーザーに問い合わせる。「ＤＲ資料印刷＿配布用」は、ステップＳ１７で決定されたモードメモリーの名称である。設定画面ｄ２０は、ソフトキーとしてのキャンセルボタンＢ４１と、ジョブ実行ボタンＢ４２と、を有する。キャンセルボタンＢ４１のタッチ入力により、決定されたモードメモリーのキャンセルが入力され、ジョブ実行ボタンＢ４２のタッチ入力により、決定されたモードメモリーを用いた印刷ジョブの実行指示が入力される。
【００６７】
ジョブ実行のキャンセル入力がある場合（ステップＳ１９；ＮＯ）、ステップＳ１２に移行される。ジョブ実行の指示入力がある場合（ステップＳ１９；ＹＥＳ）、本体制御部１１は、ステップＳ１８で読み出されたモードメモリーを用いて、原稿読取部１４、画像処理部１５、給紙部１７、搬送部２０，３３、後処理部３４を制御して、コピーの印刷ジョブを実行し（ステップＳ２０）、モードメモリージョブ実行処理を終了する。
【００６８】
ここで、モードメモリージョブ実行処理の具体的な第１の実施例を説明する。記憶部１９には、モードメモリーＭ１，Ｍ２を含む複数のモードメモリーが記憶されているものとする。そして、モードメモリージョブ実行処理が実行され、ステップＳ１２で、「設定項目：設定値」として、「印刷色：フルカラー」、「印刷面：両面」、「Ｎｉｎ１：２」が入力され、ステップＳ１３で、「印刷色：フルカラー」、「印刷面：両面」及び「Ｎｉｎ１：２」に合致するモードメモリーＭ１，Ｍ２が抽出されたものとする。この入力された設定値は、図４（ａ）、図４（ｂ）のモードメモリーＭ１，Ｍ２において、斜体で示され、他の図でも同様であるものとする。
【００６９】
モードメモリーＭ１，Ｍ２で差異がある設定項目は、グループが基本の第１階層の部数、第１階層の給紙トレイ、グループがレイアウトの第２階層の綴じ方向である。この差異がある設定項目は、図４（ａ）、図４（ｂ）のモードメモリーＭ１，Ｍ２において、網掛けで示されており、他の図でも同様であるものとする。
【００７０】
差異がある設定項目のうち、ステップＳ１２で設定入力された「印刷面：両面」の下位層にある第２階層の綴じ方向の優先順位が最優先とされる。というのは、ユーザーが設定入力を行って具体的なイメージができている「印刷面：両面」であり、ユーザーが意図して入力した設定項目に従属する設定項目を問い合わせられた方が、その他の設定項目を問い合わせられるよりも回答しやすいためである。
【００７１】
そして、ステップＳ１５で設定項目としての綴じ方向が設定画面表示により問い合わされ、ユーザーからの「左」の入力ボタンのタッチ入力に応じて、ステップＳ１７で１つのモードメモリーＭ１が決定され、同じくユーザーからの「上」の入力ボタンのタッチ入力に応じて、ステップＳ１７で１つのモードメモリーＭ２が決定される。
【００７２】
以上、本実施の形態によれば、画像形成装置１０は、複数の設定項目の設定値を有するモードメモリーを記憶する記憶部１９と、印刷ジョブで用いる設定項目の第１の設定値の入力を受け付ける操作部１２と、操作部１２で入力された設定値と記憶されたモードメモリーの設定値とを比較し合致するモードメモリーを候補として抽出する本体制御部１１を備える。本体制御部１１は、抽出されたモードメモリーが複数ある場合に、表示部１３により複数のモードメモリー間で異なる第２の設定値の入力を問い合わせ、操作部１２により第２の設定値の入力を受け付け、入力された第２の設定値に応じて、抽出されたモードメモリーから印刷ジョブで用いるモードメモリーを特定する。
【００７３】
このため、印刷ジョブで用いる設定項目の第１、第２の設定値を入力するだけで、ユーザーが所望するモードメモリーを容易かつ効率的に特定できる。
【００７４】
また、本体制御部１１は、抽出されたモードメモリーが複数ある場合に、問い合わせる第２の設定値の優先順位を決定する。このため、優先順位に応じて第２の設定値を問合せをするので、問合せ回数及び回答の回数を少なくすることができ、ユーザーが所望するモードメモリーをより容易かつ効率的に特定できる。
【００７５】
また、モードメモリーは、設定項目の設定値の階層構造を有する。本体制御部１１は、複数のモードメモリー間で異なる第２の設定値のうち、前記入力された第１の設定値の下位層にある第２の設定値の優先順位を高くする。このため、ユーザーが意図して入力した第１の設定値に従属する第２の設定値を問い合わせられ、ユーザーが回答しやすくできる。
【００７６】
また、本体制御部１１は、表示部１３により、複数のモードメモリー間で異なる第２の設定値の入力を表示により問い合わせ、操作部１２により、問い合わされた第２の設定値の操作入力を受け付ける。このため、目視及び操作入力により第２の設定値の問合せ及び回答をすることができ、たとえ周囲の音が大きい環境でも、ユーザーが所望するモードメモリーをより容易に特定できる。
【００７７】
また、操作部１２は、モードメモリーの変更情報の入力を受け付ける。本体制御部１１は、入力された変更情報に応じて、モードメモリーを変更する。このため、モードメモリーの変更により、ユーザーの所望のモードメモリーを特定可能にできる。
【００７８】
また、本体制御部１１は、特定されたモードメモリー内の設定値に基づいて、印刷ジョブを画像形成手段（原稿読取部１４、画像処理部１５、給紙部１７、搬送部２０，３３、後処理部３４）に実行させる。このため、特定されたユーザーが所望するモードメモリーを容易かつ効率的に特定して印刷ジョブを実行できる。
【００７９】
（変形例）
図７〜図１０を参照して、上記実施の形態の変形例を説明する。図７（ａ）は、第１の音声問合せ例を示す図である。図７（ｂ）は、第２の音声問合せ例を示す図である。図７（ｃ）は、第３の音声問合せ例を示す図である。図８（ａ）は、モードメモリーＭ３を示す図である。図８（ｂ）は、モードメモリーＭ４を示す図である。図９（ａ）は、第４の音声問合せ例を示す図である。図９（ｂ）は、第５の音声問合せ例を示す図である。図９（ｃ）は、第６の音声問合せ例を示す図である。図１０（ａ）は、モードメモリーＭ５を示す図である。図１０（ｂ）は、モードメモリーＭ６を示す図である。
【００８０】
上記実施の形態では、設定項目の設定値の問合せ及び回答の入力を表示画面の表示及びそのタッチ入力により行う構成であったが、本変形例では、設定項目の設定値の問合せ及び回答を音声出力及び音声入力により行う。本変形例の装置構成は、上記実施の形態と同様に、画像形成装置１０が用いられる。
【００８１】
画像形成装置１０において、モードメモリージョブ実行処理が実行される。ただし、モードメモリージョブ実行処理のステップＳ１４において、本体制御部１１は、ステップＳ１３で抽出されたモードメモリー間で異なる設定項目の優先順位を決定する。そして、ステップＳ１５で、本体制御部１１は、ステップＳ１４で決定された優先順位に応じて、未問合せの設定項目の設定値の１つの問合せのメッセージを音声端末１０Ｃに音声出力させる。そして、ステップＳ１６で、本体制御部１１は、音声端末１０Ｃを介してユーザーから問合せに対する回答としての対象の設定項目の設定値又は回答のパスの音声入力を受け付ける。
【００８２】
例えば、図６（ａ）の設定画面ｄ１０に対応して、図７（ａ）に示すように、画像形成装置１０において、音声端末１０Ｃを介して、設定項目入力欄Ｐ１０に対応する最優先の設定項目の問合せ「印刷面は？」の音声出力がされ、ユーザーＵ１からの「片面」の音声入力が行われる。そして、音声端末１０Ｃを介して、設定項目入力欄Ｐ２０に対応する次の優先順位の設定項目の問合せ「Ｎｉｎ１は？」の音声出力がされ、ユーザーＵ１からの「２ｉｎ１」の音声入力が行われる。
【００８３】
また、モードメモリージョブ実行処理のステップＳ１９において、本体制御部１１は、音声端末１０Ｃを介して、ステップＳ１８で読み出されたモードメモリーを用いたジョブ実行の要否のメッセージを音声出力して問合せ、操作部１２を介してユーザーから、ジョブ実行の指示する又は指示しない音声入力を受け付け、ジョブ実行の指示入力があるか否かを判別する。
【００８４】
例えば、図６（ｂ）の設定画面ｄ２０に対応して、図７（ｂ）に示すように、画像形成装置１０において、音声端末１０Ｃを介して、ステップＳ１８で読み出されたモードメモリーの名称に対応する問合せ「ＤＲ資料印刷＿配布用でジョブ実行します」の音声出力がされ、ユーザーＵ１からのジョブ実行指示の旨の「はい」の音声入力が行われる。
【００８５】
また、上記第１の実施例と同様に、ステップＳ１３でモードメモリーＭ１，Ｍ２が抽出されたケースを考える。図７（ｃ）に示すように、画像形成装置１０において、ステップＳ１５で音声端末１０Ｃを介して、設定項目の問合せ「綴じ方向は？」の音声出力がされ、ステップＳ１６でユーザーＵ１からの「上」の音声入力が行われる。ステップＳ１７で１つのモードメモリーＭ２が決定されるので、ステップＳ１９で問合せ「スケジュールコピーでジョブ実行します」の音声出力がされ、ユーザーＵ１からの「はい」の音声入力が行われる。「スケジュールコピー」は、モードメモリーＭ２の名称とする。
【００８６】
ついで、本変形例のモードメモリージョブ実行処理の具体的な第２の実施例を説明する。記憶部１９には、図８（ａ）に示すモードメモリーＭ３と、図８（ｂ）に示すモードメモリーＭ４と、を含む複数のモードメモリーが記憶されているものとする。
【００８７】
モードメモリーＭ３は、グループが基本のモードメモリーＭ３１と、グループが画質調整のモードメモリーＭ３５と、を有し、他のグループのモードメモリーの図示を省略するものとする。また、モードメモリーＭ３の名称は、「報告用現場写真」とする。モードメモリーＭ４は、グループが基本のモードメモリーＭ４１と、グループが画質調整のモードメモリーＭ４５と、を有し、他のグループのモードメモリーの図示を省略するものとする。
【００８８】
そして、モードメモリージョブ実行処理が実行され、ステップＳ１２で、「設定項目：設定値」として、「印刷色：フルカラー」、「下地調整：オン」、「（下地調整の）調整レベル：＋１」、「光沢コピー：オン」、「濃度：オン」、「（濃度の）調整レベル：＋４」、が設定入力され、ステップＳ１３で、「印刷色：フルカラー」、「下地調整：オン」、「（下地調整の）調整レベル：＋１」、「光沢コピー：オン」、「濃度：オン」、「（濃度の）調整レベル：＋４」に合致するモードメモリーＭ３，Ｍ４が抽出されたものとする。
【００８９】
モードメモリーＭ３，Ｍ４で差異がある設定項目は、グループが基本の第１階層の部数、グループが画質調整の第１階層の原稿タイプである。
【００９０】
差異がある設定項目のうち、ステップＳ１２で設定入力された設定値の数が多いグループの画質調整に含まれる原稿タイプの優先順位が最優先とされる。というのは、ユーザーが数多く設定入力を行って、ユーザーの関心が高く、具体的な出力結果イメージができているグループの設定項目を問い合わせられた方が、その他の設定項目を問い合わせられるよりも回答しやすいためである。
【００９１】
そして、図９（ａ）に示すように、ステップＳ１５で最優先の設定項目としての原稿タイプが「原稿タイプは？」の音声出力によりユーザーＵ１に問い合わされ、ユーザーＵ１からの「写真」の音声入力に応じて、ステップＳ１７で１つのモードメモリーＭ３が決定される。そして、ステップＳ１９でモードメモリーＭ３（報告書用現場写真）を用いた印刷ジョブの実行が「報告書用現場写真でジョブ実行します」の音声出力によりユーザーＵ１に問い合わされ、ユーザーＵ１からの「はい」の音声入力がされ、モードメモリーＭ３を用いた印刷ジョブが実行される。
【００９２】
また、ステップＳ１８〜Ｓ２０で、図９（ｂ）に示すように、ステップＳ１５で最優先の設定項目としての原稿タイプが「原稿タイプは？」の音声出力によりユーザーＵ１に問い合わされ、ユーザーＵ１からの「パス」の音声入力がされた場合には、再度ステップＳ１５で次の優先順位の設定項目としての部数が「部数は？」の音声出力によりユーザーＵ１に問い合わされ、ユーザーＵ１からの「２部」の音声入力がされる。このように、ユーザーは、設定項目をパスすることができる。
【００９３】
また、本体制御部１１は、１つに決定されたモードメモリーを読み出した後、ユーザーにその旨を通知し印刷ジョブの実行処理を行う。ただし、ユーザーの誤った回答や勘違いがあった場合、意図したモードメモリーではないものが用いられてしまう可能性がある。そのため、本体制御部１１は、絞り込んだモードメモリーを通知する際、
・ユーザーが入力していない設定項目の設定値、
・デフォルトから変更がある設定項目の設定値、
・ユーザーが入力した設定項目の設定値の下位層、又は同グループ内の設定項目の設定値、
の少なくとも１つが、モードメモリーの通知と同時に通知される構成としてもよい。
【００９４】
例えば、モードメモリーＭ３の仕上げのグループのステープルの設定項目の設定値がデフォルト値から変更されているものとする。図９（ｃ）に示すように、ステップＳ１９でモードメモリーＭ３を用いた印刷ジョブの実行が、モードメモリーＭ３のステープルの設定値とともに、「ステープルがオンに設定されている、報告書用現場写真でジョブ実行します」の音声出力によりユーザーＵ１に問い合わされ、ユーザーＵ１からの「はい」の音声入力がされ、モードメモリーＭ３を用いた印刷ジョブが実行される。
【００９５】
ついで、本変形例のモードメモリージョブ実行処理の具体的な第３の実施例を説明する。記憶部１９には、図１０（ａ）に示すモードメモリーＭ５と、図１０（ｂ）に示すモードメモリーＭ６と、を含む複数のモードメモリーが記憶されているものとする。
【００９６】
モードメモリーＭ５は、グループが基本のモードメモリーＭ５１と、グループがレイアウトのモードメモリーＭ５２と、を有し、他のグループのモードメモリーの図示を省略するものとする。モードメモリーＭ６は、グループが基本のモードメモリーＭ６１と、グループがレイアウトのモードメモリーＭ４５と、を有し、他のグループのモードメモリーの図示を省略するものとする。
【００９７】
そして、モードメモリージョブ実行処理が実行され、ステップＳ１２で、「設定項目：設定値」として、「印刷色：フルカラー」、「印刷面：両面」、「Ｎｉｎ１：２」が設定入力され、ステップＳ１３で、「印刷色：フルカラー」、「印刷面：両面」、「Ｎｉｎ１：２」に合致するモードメモリーＭ５，Ｍ６が抽出されたものとする。
【００９８】
モードメモリーＭ５，Ｍ６で差異がある設定項目は、グループが基本の第１階層の部数、第１階層の給紙トレイ、グループがレイアウトの第２階層の（Ｎｉｎ１の）ページ割当と、第２階層の（印刷面の）綴じ方向と、である。
【００９９】
差異がある設定項目のうち、ステップＳ１２で設定入力された設定項目の下位層を優先させる場合に、Ｎｉｎ１の下位層のページ割当と、印刷面の下位層の綴じ方向とは、優先順位が同じとなる。このため、ステップＳ１４において、本体制御部１１は、記憶部１９に記憶されている設定項目の設定値の入力履歴情報を参照し、ステップＳ１２で設定入力された設定項目の下位層のページ割当及び綴じ方向について、過去に設定値の入力が多い方を最優先に決定する。あるいは、本体制御部１１は、記憶部１９に記憶されている予め設定された設定項目ごとの優先順位を参照し、ステップＳ１２で設定入力された設定項目の下位層のページ割当及び綴じ方向について、記憶された優先順位が高い方を最優先に決定する。
【０１００】
以上、本変形例によれば、本体制御部１１は、音声端末１０Ｃにより、複数のモードメモリー間で異なる第２の設定値の音声入力を音声出力により問い合わせ、音声端末１０Ｃにより、問い合わされた第２の設定値の音声入力を受け付ける。このため、音声出力及び音声入力により第２の設定値の問合せ及び回答をすることができ、操作入力を介さなくても、ユーザーが所望するモードメモリーをより容易に特定できる。
【０１０１】
また、モードメモリーは、設定項目の設定値をグループごとに有する。本体制御部１１は、複数のモードメモリー間で異なる第２の設定値のうち、入力された第１の設定値が多いグループに所属する第２の設定値の優先順位を高くする。このため、ユーザーが意図して入力した第１の設定値と関連の深いグループの第２の設定値を問い合わせられ、ユーザーが回答しやすくできる。
【０１０２】
また、記憶部１９は、過去に入力された第１の設定値の履歴情報を記憶する。本体制御部１１は、優先順位が同じ第２の設定値が複数ある場合に、設定値の履歴情報に応じて複数の第２の設定値の優先順位をさらに決定する。このため、第２の設定値の優先順位をより適切に決定できる。
【０１０３】
また、本体制御部１１は、操作部１２により入力されていない設定値、デフォルト値から変更された設定値及び入力された第１の設定値に関連する設定値（モードメモリーにおいて、入力された第１の設定値の下層の設定項目、入力された第１の設定値の同グループの設定値）の少なくとも１つを、特定されたモードメモリーとともに、音声端末１０Ｃにより音声出力で通知する。このため、ユーザーが意図していないモードメモリーが特定されることを防ぐことができ、所望のモードメモリーを特定できる。
【０１０４】
また、操作部１２は、問い合わされた第２の設定値のパスの入力を受け付け可能である。本体制御部１１は、パスが入力された場合に、パスに対応する第２の設定値の次の優先順位の複数のモードメモリー間で異なる第２の設定値の入力を問い合わせる。このため、ユーザーが意図していないモードメモリーが特定されることを防ぐことができる。
【０１０５】
なお、上記実施の形態及び変形例における記述は、本発明に係る好適な画像形成装置の一例であり、これに限定されるものではない。例えば、上記実施の形態と上記変形例とを適宜組み合わせる構成としてもよい。また、上記実施の形態及び変形例では、コピーの印刷ジョブ実行の構成について説明したが、これに限定されるものではなく、他のジョブ実行における構成としてもよい。
【０１０６】
また、モードメモリーは、ユーザーの識別情報に対応付けられる構成としてもよい。画像形成装置１０において、操作部１２は、印刷ジョブを投入したユーザーの識別情報の入力を受け付ける。本体制御部１１は、入力された第１の設定値と記憶されたモードメモリーの設定値とを比較して合致しかつ入力されたユーザーの識別情報に対応するモードメモリーを候補として抽出する構成としてもよい。この構成によれば、ユーザーが所望するモードメモリーを容易、効率的かつさらに適切に特定できる。
【０１０７】
また、以上の実施の形態における画像形成装置１０を構成する各部の細部構成及び細部動作に関して本発明の趣旨を逸脱することのない範囲で適宜変更可能である。
【符号の説明】
【０１０８】
１０  画像形成装置
１０Ａ  画像形成装置本体
１１  本体制御部
Ｄ１  操作表示部
１２  操作部
１３  表示部
１４  原稿読取部
１５  画像処理部
１６  画像形成部
１６１Ｙ，１６１Ｍ，１６１Ｃ，１６１Ｋ  画像形成ユニット
１６２  定着部
１７  給紙部
１８  本体通信部
１９  記憶部
２０  搬送部
２１  外部通信部
１０Ｂ  後処理装置
３１  後処理制御部
３２  後処理通信部
３３  搬送部
３４  後処理部
Ｔ１，Ｔ２，Ｔ３，Ｔ４  給紙トレイ
Ｔ５  排紙トレイ
１０Ｃ  音声端末
Ｎ  通信ネットワーク
【図１】
2020102678.tif 000003
【図２】
2020102678.tif 000004
【図３】
2020102678.tif 000005
【図４】
2020102678.tif 000006
【図５】
2020102678.tif 000007
【図６】
2020102678.tif 000008
【図７】
2020102678.tif 000009
【図８】
2020102678.tif 000010
【図９】
2020102678.tif 000011
【図１０】
2020102678.tif 000012